(57)【特許請求の範囲】
【請求項１】
上方から吸い込み下方に吹き出すように設けられる横断流形ファンを有した送風機を上に、この送風機から吹き出される空気を加熱するハロゲンヒーターと前記ハロゲンヒーターの輻射熱を反射する反射板からなる熱源を下に設けた本体と、この本体の前方を覆う形状で上面には浴室の天井付近の空気が吸い込まれる吸込口を設け、下方の斜め前方には前記浴室内に温風が送風される吹出口と前記熱源を設けた本体カバーとを備え、前記送風機により浴室内の空気を上方から下方に向かい加熱循環せしめる構成とした浴室用乾燥機。
【請求項２】
輻射暖房をする熱源により入浴者を暖房する構成とした請求項１記載の浴室用乾燥機。
【請求項３】
本体に支持側板と本体カバーを設け、この支持側板と本体カバーにより吸込グリルを挟持して取り付ける構成とした請求項１記載の浴室用乾燥機。
【請求項４】
吸込グリルを金属製のパンチングメタルで形成した請求項３記載の浴室用乾燥機。
【請求項５】
本体に吸込グリルおよび吹出グリルを開閉自在に構成した請求項１記載の浴室用乾燥機。
【請求項６】
吸込グリルまたは吹出グリルの開放時に電気回路を開路するリミットスイッチを設けた請求項５記載の浴室用乾燥機。
【請求項７】
吹出グリルを線材で形成した横線と縦線を接合して形成し、一方の横線の両端部に水平取付部を設け、他方の横線の両端部に曲げ角度の異なる垂直取付部を設け、本体に設けた支持側板に前記吹出グリルの水平取付部が係合する丸穴と、垂直取付部が係合する長孔を設けた請求項５記載の浴室用乾燥機。
【発明の詳細な説明】
【０００１】
【発明の属する技術分野】
本発明は、浴室内に吊り下げられた洗濯物等の被乾燥物の乾燥を行うとともに、入浴者にドラフト感を与えないように暖房ができる浴室用乾燥機に関する。
【０００２】
【従来の技術】
近年、一般家庭における浴室の設置が多くなるにともない、浴室を利用して洗濯物を乾燥させる乾燥機が普及されてきており、さらに、洗濯物の乾燥効率の向上および冬季などの低温時に入浴者にドラフト感を与えないように暖房ができる浴室用乾燥機の要求が高まってきている。
【０００３】
従来、この種の浴室用乾燥機の一例として図１６および図１７に示されるものが知られていた。以下、その構成について図１６および図１７を参照しながら説明する。
【０００４】
図に示すように、浴室（図示せず）等の壁部１０１に設けられる換気口１０２に設置される換気装置１０３と、この換気装置１０３の前方に、側面に吸込口１０４を有し、前方の斜め下方に吹出口１０５を設け、吸込口１０４に対向しオリフィス１０６を介してシロツコファン１０７を有した送風機１０８を設け、吹出口１０５にはセラミックヒーター１０９を設けた温風装置１１０により構成していた。
【０００５】
そして、温風装置１１０により浴室内の空気を、温風装置１１０の側部に設けた吸込口１０４より吸い込み、セラミックヒーター１０９により加熱した温風を浴室内に送風し、浴室内に吊り下げた洗濯物等を乾燥させ、換気装置１０３により浴室内の空気を温風発生装置１１０内を通じて吸気し、浴室外に排出していた。
【０００６】
【発明が解決しようとする課題】
このような従来の乾燥機によれば、浴室内の空気を温風発生装置１１０の両側面に設けた吸込口１０４より吸い込み、セラミックヒーター１０９を介して加熱し吹き出すため、吹き出し風がショートサーキットをして吸込口１０４より吸い込まれ浴室全体に循環流が形成されないことにより乾燥効率が悪いという課題があった。
【０００７】
また、大形の送風機１０８を用いるため、温風装置１１０の厚みが厚くなり、インテリア性が悪いという課題があった。
【０００８】
また、シロツコファン１０７を用いているため、吹き出し幅が小さく、浴室内に広く吹き出すことができなくなり、乾燥および暖房効率が悪いという課題があった。
【０００９】
また、熱源としてセラミックヒーター１０９を使用しているので、輻射効率がまだ満足できるものではないという課題があった。
【００１０】
本発明は、上記課題を解決するもので、ショートサーキットを生じることがなく、浴室全体に循環流を送風して乾燥および暖房の効率を高めることのできる浴室用乾燥機を提供することを目的とする。
【００１１】
【課題を解決するための手段】
本発明の浴室用乾燥機においては、上方から吸い込み下方に吹き出すように設けられる横断流形ファンを有した送風機を上に、この送風機から吹き出される空気を加熱するハロゲンヒーターと前記ハロゲンヒーターの輻射熱を反射する反射板からなる熱源を下に設けた本体と、この本体の前方を覆う形状で上面には浴室の天井付近の空気が吸い込まれる吸込口を設け、下方の斜め前方には前記浴室内に温風が送風される吹出口と前記熱源を設けた本体カバーとを備え、前記送風機により浴室内の空気を上方から下方に向かい加熱循環せしめる構成としたものである。
【００１２】
この本発明によれば、ショートサーキットを生じることがなく、浴室全体に循環流を送風して乾燥および暖房の効率を高めることのできる浴室用乾燥機を提供することができる。
【００１３】
【発明の実施の形態】
本発明の請求項１に記載の発明は、上方から吸い込み下方に吹き出すように設けられる横断流形ファンを有した送風機を上に、この送風機から吹き出される空気を加熱するハロゲンヒーターと前記ハロゲンヒーターの輻射熱を反射する反射板からなる熱源を下に設けた本体と、この本体の前方を覆う形状で上面には浴室の天井付近の空気が吸い込まれる吸込口と前記熱源を設け、下方の斜め前方には前記浴室内に温風が送風される吹出口を設けた本体カバーとを備え、前記送風機により浴室内の空気を上方から下方に向かい加熱循環せしめる構成としたことにより、浴室の天井近くから吸込口に吸い込まれた空気が加熱され、浴室の洗い場等に向け吹出口より送風されることとなり、吸込口と吹出口との間でショートサーキットを起こすことが防止され、浴室全体に循環流を送風して乾燥および暖房の効率を高めることができるという作用を有する。
【００１４】
以下、本発明の実施の形態について図１〜図１５を参照しながら説明する。
【００１５】
（実施の形態１）
図１〜図３に示すように、端部に制御回路部１が取り付けられる空間を残して左右に支持側板２を設けた本体３の上方から吸い込み下方に吹き出すように横断流形ファン４を有した送風機５および、送風機５の吸込側に設けられる吸込グリル６を支持側板２間に設け、送風機５から吹き出される空気を加熱するヒーター７と反射板８からなる熱源９および熱源９の前方に設けられる吹出グリル１０を支持側板２間に設け、本体３の裏板１１には浴室１２の壁面１３に取り付けられた取付具１４に設けた係止部１５の係合する係合孔１６と取付具１４にねじ１７で係止する係止片１８を設ける。
【００１６】
そして、本体３の前方を覆う形状で上面には本体３に設けた吸込グリル６に対応して吸込口１９を設け、下方の斜め前方には本体３に設けた吹出グリル１０に対応して吹出口２０を設けた本体カバー２１を着脱自在に設けた構成とする。
【００１７】
上記構成において、浴室１２の壁面１３に取付具１４を介して取り付けた浴室用乾燥機を運転すると、送風機５により本体カバー２１の上面に設けた吸込口１９より浴室１２の天井付近の空気が吸い込まれ、送風機５により下方に送られ熱源９により加熱され、吹出口２０より浴室１２内に温風が送風され、浴室１２内に吊り下げられた洗濯物等の被乾燥物２２に温風が接触して被乾燥物２２が乾燥され、浴室１２内の空気は上方から下方に向かい加熱循環されて乾燥が行われる。
【００１８】
また、冬季の低温時に、浴室１２内を暖房するために浴室用乾燥機を運転すると、乾燥時と同様に浴室１２内の空気は上方から下方に向かい加熱循環され、吹出口２０より送風される温風により浴室１２の床面付近が暖められることとなる。
【００１９】
このように本発明の実施の形態１の浴室用乾燥機によれば、上方から吸い込み下方に吹き出すように設けられる送風機５と、この送風機５から吹き出される空気を加熱する熱源９とを設けた本体３と、この本体３の前方を覆う形状で上面には吸込口１９を設け、下方の斜め前方には吹出口２０を設けた本体カバー２１を設け、送風機５により浴室１２内の空気を上方から下方に向かい加熱循環せしめる構成としたので、吸込口１９と吹出口２０は遠ざかり、吸込口１９と吹出口２０との間におけるショートサーキットが発生するのを防止することができ、浴室１２内全体の空気の温度上昇が効率よく行われるとともに、被乾燥物２２に対する温風の接触度が高まり乾燥効率を向上することができ、また、冬季の低温時には浴室１２の床面付近を暖めることができ暖房効率を向上することができる。
【００２０】
（実施の形態２）
図４および図５に示すように、本体３Ａに設けられる送風機５Ａを複数の小形の軸流ファンモーター２３を並設して形成し、複数設けられる軸流ファンモーター２３の回転数を個々に異なるように形成し、熱源９Ａにハロゲンヒーター２４と、ハロゲンヒーター２４の輻射熱を浴室の洗い場等の床面（図示せず）に向かい反射する反射板８Ａを設けた構成とする。
【００２１】
上記構成において、浴室用乾燥機を浴室（図示せず）に設け運転すると、送風機５Ａを形成する複数の軸流ファンモーター２３が駆動し、上方の吸込口１９より吸い込み、下方に送風され、ハロゲンヒーター２４により形成した熱源９Ａにより加熱されて吹出口２０より送風されて被乾燥物の乾燥が行われる。
【００２２】
また、複数設けられる軸流ファンモーター２３の回転数が異なるように形成されていることにより、各々の軸流ファンモーター２３から発生する騒音が相互に緩衝されることとなる。
【００２３】
また、熱源９Ａに設けたハロゲンヒーター２４は、熱容量の小さいフィラメントを用いることにより石英管ヒーターおよびセラミックヒーターに比較して立上り性能がよくなり、ハロゲンヒーター２４の放熱温度を高めることができ、ハロゲンヒーター２４の輻射熱を反射板８Ａにより浴室の洗い場等の床面に向かい反射し、被乾燥物の乾燥または入浴者に対する暖房を行うことができる。
【００２４】
このように本発明の実施の形態２の浴室用乾燥機によれば、本体３Ａに設けられる送風機５Ａを、複数の軸流ファンモーター２３により形成したので、送風機にシロツコファンを用いた場合に比較して、横長に送風範囲を拡げることができるとともに、小形の軸流ファンモーター２３を設けることにより、浴室用乾燥機の厚みを薄くすることができ、壁面からの突出量が少なくなってインテリア性の向上を図ることができる。
【００２５】
また、複数設けられる軸流ファンモーター２３の回転数を異なるように構成したので、各軸流ファンモーター２３が発生する騒音レベルが異なることにより、互いに緩衝されて騒音が低減され、低騒音化を図ることができるとともに、共振による異音の発生を防止できる。
【００２６】
また、熱源９Ａをハロゲンヒーター２４と、ハロゲンヒーター２４の輻射熱を浴室の洗い場に向かい反射する反射板８Ａにより形成したので、輻射暖房により入浴者は体の表面に暖かさを感じドラフト感を防止することができる。
【００２７】
（実施の形態３）
図６に示すように、複数の軸流ファンモーター２３Ａを吹出口２０に向かい送風される風が拡がるように、左右の軸流ファンモーター２３Ａを傾けた構成とする。
【００２８】
上記構成において、浴室用乾燥機を浴室に設けて運転すると、複数の軸流ファンモーター２３Ａが駆動し、上方の吸込口１９より空気が軸流ファンモーター２３Ａにより下方に送風され、ハロゲンヒーター２４で加熱されて吹出口２０より温風が送風される。このとき、複数設けられる軸流ファンモーター２３Ａのうち左右の軸流ファンモーター２３Ａにより送風される風が左右に拡がるようになる。
【００２９】
このように本発明の実施の形態３の浴室用乾燥機によれば、複数の軸流ファンモーター２３Ａを、送風される風が拡がるように傾けて設けたので、吹出口２０から温風を左右にワイドに吹き出すことができ、広い浴室に対応した効率のよい乾燥および暖房を行うことができる。
【００３０】
（実施の形態４）
図７に示すように、複数の軸流ファンモーター２３Ｂを吹出口２０側に向かい傾けて設けた構成とする。
【００３１】
上記構成において、軸流ファンモーター２３Ｂが駆動されると、上方の吸込口１９より吸い込んだ空気は、軸流ファンモーター２３Ｂにより吹出口２０側に向かい送風され、ハロゲンヒーター２４により加熱された温風が吹出口２０より斜め下方に向かい送風される。
【００３２】
このように本発明の実施の形態４の浴室用乾燥機によれば、複数の軸流ファンモーター２３Ｂを吹出口２０側に傾けて設けているので、軸流ファンモータ２３Ｂより送風される風は吹出口２０に向かい送風され、ハロゲンヒーター２４で加熱された温風は、下方の斜め前方に設けた吹出口２０より浴室内に送風されることとなり、浴室用乾燥機の取付位置が低くても浴室の広さおよびバスタブの大きさに左右されることなく浴室全体を効率良く乾燥および暖房ができる。
【００３３】
（実施の形態５）
図８および図９に示すように、軸流ファンモーター２３Ｃのモーター２３ａの外周を前後から包持する湾曲凹部２５を複数設けた水平状のモーター取付部２６と、このモーター取付部２６に取り付けられたモーター２３ａの下方に対向するように突出し設けられる遮熱板２７とを垂直板２８を介して断面をほぼコの字状に形成し、端部には本体に設けた支持側板（図示せず）に取り付けられ、取付片２９と設けた一対の軸流ファンモーター取付具３０を形成する。
【００３４】
そして、モーター取付部２６の湾曲凹部２５を下方に曲折してモーター２３ａの外周を保持する保持部３１を形成し、モーター２３ａの外周にはモーター２３ａを取り付けるモーター取付孔３２を有した取付用フランジ３３を設け、モーター取付部２６の湾曲凹部２５の外方に、モーター２３ａを取付用フランジ３３を介してモーター取付部２６にねじ３４により取り付けるねじ孔３５を設ける。
【００３５】
また、軸流ファンモーター２３Ｃのファン外周を覆うオリフィス３６の端部にねじ３４の貫通孔３７を有した複数の支持脚３８を設け、軸流ファンモーター取付具３０のモーター取付部２６に取り付けられる軸流ファンモーター２３Ｃのモーター２３ａとオリフィス３６の支持脚３８をねじ３４で共締めするように構成する。
【００３６】
上記構成において、軸流ファンモーター２３Ｃおよび、オリフィス３６を軸流ファンモーター取付具３０に組み付けるときには、軸流ファンモーター取付具３０のモーター取付部２６の湾曲凹部２５にモーター２３ａの外周を合わせるようにしてモーター取付部２６上に取付用フランジ３３を介してモーター２３ａを載置し、オリフィス３６の支持脚３８をモーター２３ａの取付用フランジ３３上に載置し、ねじ３４を支持脚３８の端部に設けた貫通孔３７と、取付用フランジ３３のモーター取付孔３２を貫通し、ねじ３４をモーター取付部２６のねじ孔３５に螺合し、軸流ファンモーター２３Ｃとオリフィス３６をねじ３４による共締めにより軸流ファンモーター取付具３０に取り付ける。
【００３７】
このとき、モーター取付部２６に形成した湾曲凹部２５に設けた保持部３１がモーター２３ａの外周に当接してモーター２３ａが保持される。
【００３８】
また、軸流ファンモーター取付具３０に形成した遮熱板２７がモーター２３ａの下方に対向することにより、熱源（図示せず）からの熱が直接モーター２３ａに加わるのが遮断されることとなる。
【００３９】
このように本発明の実施の形態５の浴室用乾燥機によれば、軸流ファンモーター２３Ｃのモーター２３ａの外周を前後から包持する湾曲凹部２５を有する水平状のモーター取付部２６と、このモーター取付部２６に取り付けられたモーター２３ａの下方に対向し設けられる遮熱板２７とを垂直板２８を介して形成した一対の軸流ファンモーター取付具３０により軸流ファンモーター２３Ｃを本体に取り付けるように構成したので、軸流ファンモーター２３Ｃの下方部に設けられた熱源からの熱がモーター２３ａに伝熱されることが抑制され、熱によるモーター２３ａの寿命が短かくなるのが緩和され、品質向上を図ることができる。
【００４０】
また、モーター取付部２６の湾曲凹部２５に下方に曲折した保持部３１を設けたので、モーター２３ａの保持が正確に行われるとともに、モーター取付部２６の剛性が増大し、別パーツを設けることなく、強固で安価な構造の軸流ファンモーター取付具３０が得られる。
【００４１】
また、オリフィス３６に支持脚３８を設け、軸流ファンモーター取付具３０のモーター取付部２６に取り付けられる軸流ファンモーター２３Ｃのモーター２３ａとオリフィス３６の支持脚３８を共締めによりモーター取付部２６に取り付けるように構成したので、部品点数が少なく、モーター２３ａとオリフィス３６の取り付けが容易で、モーター２３ａとオリフィス３６との寸法関係の誤差を少なくすることができ同心上に取り付けることができ品質の向上およびファンの性能確保を図ることができる。
【００４２】
なお、実施の形態５ではモーター取付部２６に設けられる湾曲凹部２５のみを下方に曲げて保持部３１を形成したが、モーター取付部２６の湾曲凹部２５を含む内側端部全体を下方に曲げるようにしても、モーター取付部２６の強度を高めることができることはいうまでもない。
【００４３】
（実施の形態６）
図１０および図１１に示すように、本体カバー２１Ａに設けた吸込口１９に対向して本体３Ｂに設けられる吸込グリル６Ａを金属製のパンチングメタル６ａで形成し、本体３Ｂに設けた支持側板２Ａの上端部と本体カバー２１Ａの吸込口１９の近傍内面との間で挟持して取り付ける構成とする。また、オリフィス３６、軸流ファンモーター取付具３０、ハロゲンヒーター２４も吸込グリル６Ａと同様に支持側板２Ａにより挟持固定され、支持側板２Ａとともに本体３Ｂに着脱される構成とする。
【００４４】
上記構成において、吸込グリル６Ａを、本体３Ｂに設けた支持側板２Ａの上端部上に載置した状態で、本体カバー２１Ａを本体３Ｂに装着すると、本体カバー２１Ａの吸込口１９の近傍内面が吸込グリル６Ａに当接し、吸込グリル６Ａが本体３Ｂに設けた支持側板２Ａと本体カバー２１Ａの内面とで挟持されて取り付けられる。
【００４５】
このように本発明の実施の形態６の浴室用乾燥機によれば、本体３Ｂに設けられる吸込グリル６Ａを、本体３Ｂに設けた支持側板２Ａと本体カバー２１Ａに設けた吸込口１９近傍内面との間で挟持して取り付ける構成としたので、吸込グリル６Ａを他の別部材を用いることなく取り付けることができ、部品点数が少なく安価な低コストで吸込グリル６Ａを取り付けることができる。
【００４６】
また、吸込グリル６Ａを金属製パンチングメタル６ａにより形成したので、フィルターの役目を果たし吸い込み空気中に含まれるほこり等を除去することができる。
【００４７】
また、支持側板２Ａを本体３Ｂから着脱することで、各部品を本体３Ｂから着脱できるので、保守点検時の作業性が向上する。
【００４８】
（実施の形態７）
図１２に示すように、本体３Ｃに設けられる吸込グリル６Ｂを後方側を支点に開閉自在に設け、開放時には本体カバー２１に設けた吸込口１９より突出するように形成し、吸込グリル６Ｂを閉鎖し使用状態にセットしたときにスイッチがオンとなり電気回路が閉路し、吸込グリル６Ｂを開放したときにスイッチがオフとなり、電気回路が開路するリミットスイッチ３９Ａを設け、本体３Ｃに設けられる吹出グリル１０Ａを上方側を支点に開閉自在に設け、開放時には本体カバー２１に設けた吹出口２０より突出するように形成し、吹出グリル１０Ａを閉鎖し使用状態にセットしたときにはスイッチがオンとなり電気回路が閉路し、吹出グリル１０Ａを開放したときは、スイッチがオフとなり電気回路が開路するリミットスイッチ３９Ｂを設けた構成とする。
【００４９】
上記構成において、通常運転時には吸込グリル６Ｂが閉鎖しリミットスイッチ３９Ａにより電気回路が閉路し、吹出グリル１０Ａが閉鎖され、リミットスイッチ３９Ｂにより電気回路が閉路して運転状態となる。
【００５０】
そして、メンテナンス時において、軸流ファンモーター２３のメンテナンスを行うときには吸込グリル６Ｂを開放させることにより吸込グリル６Ｂは本体カバー２１に設けた吸込口１９より突出して開放されるとともに、リミットスイッチ３９Ａにより電気回路が開路され、吸込グリル６Ｂを開放することにより、軸流ファンモーター２３が露出しメンテナンスを行うことができる。
【００５１】
また、熱源９側のメンテナンスを行うときには、吹出グリル１０Ａを開放することにより吹出グリル１０Ａは本体カバー２１に設けた吹出口２０より突出して開放されるとともに、リミットスイッチ３９Ｂにより電気回路が開路され、吹出グリル１０Ａを開放することにより、熱源９が露出し、熱源９に設けたヒーターの交換等を行うことができる。
【００５２】
このように本発明の実施の形態７の浴室用乾燥機によれば、吸込グリル６Ｂおよび吹出グリル１０Ａを開閉自在に構成したので、本体カバー２１を取り外すことなく、軸流ファンモーター２３の点検および熱源９に設けられるヒーター等の交換を行うことができ便利となる。
【００５３】
また、吸込グリル６Ｂまたは吹出グリル１０Ａを開放したとき、電気回路を開路するリミットスイッチ３９Ａまたはリミットスイッチ３９Ｂを設けたので、掃除や部品交換時における安全性の向上を図ることができる。
【００５４】
なお、実施の形態７では吸込グリル６Ｂおよび吹出グリル１０Ａを一端を支点にして開閉自在に設けるように説明したが吸込グリル６Ｂおよび吹出グリル１０Ａをスライドするように形成しても同様の作用効果をもたらすことはいうまでもない。
【００５５】
（実施の形態８）
図１３〜図１５に示すように、吹出グリル１０Ｂを、線材４０で上下に設けられる横線４０ａと、この横線４０ａに格子状に組み合わされる複数の縦線４０ｂにより形成し、下側の横線４０ａの両端部にＬ字状で水平に突出した水平取付部４０ｃを設け、上側の横線４０ａの両端にはＬ字状部の端部に曲げ角度の異なる垂直に突出した垂直取付部４０ｄと４０ｅを設け、本体に設けた支持側板２Ｂには、斜め前方の下方側に吹出グリル１０Ｂの水平取付部４０ｃが係合する丸孔４１を設け、上方側に垂直取付部４０ｄまたは垂直取付部４０ｅが係合する長孔４２を設け構成する。
【００５６】
上記構成において、吹出グリル１０Ｂを支持側板２Ｂに取り付けるときには、一方の垂直取付部４０ｄと水平取付部４０ｃを図１４のように一方の支持側板２Ｂの長孔４２と丸孔４１に係合した後、他方の支持側板２Ｂに設けた丸孔４１と長孔４２に吹出グリル１０Ｂの他方の水平取付部４０ｃと垂直取付部４０ｅを線材４０の弾性を利用して挿入し、吹出グリル１０Ｂを両方の支持側板２Ｂに取り付ける。
【００５７】
このとき、垂直取付部４０ｄと４０ｅは曲げ角度が異なることにより、互いに長孔４２の周辺部に位置がずれて当接し取り付けられる。このことにより取り付けられた吹出グリル１０Ｂに力が加わっても垂直取付部４０ｄと４０ｅの垂直状の曲げ角度が異なることにより、垂直取付部４０ｄと４０ｅの曲げ方向が２方向となり、吹出グリル１０Ｂに加わる一方向の力では垂直取付部４０ｄと４０ｅが長孔４２から抜けることがなくなる。
【００５８】
また、吹出グリル１０Ｂを支持側板２Ｂに取り付けるとき、図１５のように、支持側板２Ｂに設けた長孔４２に吹出グリル１０Ｂの垂直取付部４０ｄと４０ｅを係合した後、水平取付部４０ｃを丸孔４１に係合し取り付けることもできる。
【００５９】
このように、本発明の実施の形態８の浴室用乾燥機によれば、吹出グリル１０Ｂを線材４０で上下の横線４０ａと複数の縦線４０ｂを格子状に接合して形成し、下側の横線４０ａの両端部に水平取付部４０ｃを設け、上側の横線４０ａの両端には曲げ角度の異なる垂直取付部４０ｄと４０ｅを設け、本体に設けた支持側板２Ｂには、吹出グリル１０Ｂの水平取付部４０ｃが係合する丸孔４１と垂直取付部４０ｄと４０ｅの係合する長孔４２を設けたので、本体カバー（図示せず）を装着した後、吹出グリル１０Ｂに強固な押し込みおよび引き出し方向への力が加わっても容易に外れることがなくなる。
【００６０】
【発明の効果】
以上の実施例から明らかなように、本発明によれば、上方から吸い込み下方に吹き出すように設けられる横断流形ファンを有した送風機を上に、この送風機から吹き出される空気を加熱するハロゲンヒーターと前記ハロゲンヒーターの輻射熱を反射する反射板からなる熱源を下に設けた本体と、この本体の前方を覆う形状で上面には浴室の天井付近の空気が吸い込まれる吸込口と前記熱源を設け、下方の斜め前方には前記浴室内に温風が送風される吹出口を設けた本体カバーとを備え、前記送風機により浴室内の空気を上方から下方に向かい加熱循環せしめる構成としたので、ショートサーキットの発生を防止することができ、また、乾燥効率および暖房効率を向上することができる浴室用乾燥機を提供できる。
【００６１】
また、本体に設けられる送風機を複数の軸流ファンモーターにより形成したので、横長に送風範囲を拡げることができるとともに、薄形に形成することができ、インテリア性の向上を図ることができる。
【００６２】
また、複数設けられる軸流ファンモーターの回転数を異なるように構成したので、騒音が低減され、低騒音化を図ることができる。
【００６３】
また、熱源をハロゲンヒーターと、ハロゲンヒーターの輻射熱を浴室の洗い場に向かい反射する反射板により形成したので、輻射暖房により入浴者のドラフト感を防止することができる。
【００６４】
また、複数の軸流ファンモーターを送風される風が拡がるように傾けて設けたので、温風をワイドに吹き出すことができ、浴室の大きさ等に対応した効率の良い乾燥および暖房を行うことができる。
【００６５】
また、複数の軸流ファンモーターを吹出口側に向かい傾けて設けたので、浴室用乾燥機の取付位置が低くても浴室の広さおよび、バスタブの大きさに左右されることなく浴室全体を効率良く乾燥および暖房を行うことができる。
【００６６】
また、軸流ファンモーターの外周を前後から包持する湾曲凹部を有する水平状のモーター取付部と、このモーター取付部に取り付けられたモーターの下方に対向し設けられる遮熱板とを垂直板を介して形成した一対の軸流ファンモーター取付具により前記軸流ファンモーターを本体に取り付ける構成としたので、熱源からの熱が遮熱板により遮断され、熱によるモーターの寿命が短くなるのが緩和され品質向上を図ることができる。
【００６７】
また、モーター取付部の内側端部を下方に曲折し、保持部を形成したので、モーターの保持が正確に行われるとともに、強固で安価な構造の軸流ファンモーター取付具が得られる。
【００６８】
また、軸流ファンモーターのファン外周を覆うオリフィスに支持脚を設け、軸流ファンモーター取付具のモーター取付部に取り付けられる軸流ファンモーターと前記オリフィスの支持脚を共締めにより前記モーター取付部に取り付ける構成としたので、部品点数が少なく取り付けが容易で、モーターとオリフィスを同心上に取り付けることができ品質の向上を図ることができる。
【００６９】
また、吸込グリルを本体に設けた支持側板と本体カバーにより挟持して取り付ける構成としたので、部品点数が少なく、安価な低コストで吸込グリルを取り付けることができる。
【００７０】
また、吸込グリルを金属製のパンチングメタルで形成したので、吸い込む空気中のほこり等を除去することができる。
【００７１】
また、吸込グリルおよび吹出グリルを開閉自在に設けたので、本体カバーを取り外すことなく、軸流ファンモーターの点検や熱源に設けられるヒーターを交換することができる。
【００７２】
また、吹出グリルまたは吹出グリルの開放時に電気回路を開路するリミットスイッチを設けたので、掃除や部品交換時の安全性が確保できる。
【００７３】
また、吹出グリルを線材で形成した横線と縦線を接合して形成し、一方の横線の両端部に水平取付部を設け、他方の横線の両端部に曲げ角度の異なる垂直取付部を設け、本体に設けた支持側販に前記吹出グリルの水平取付部が係合する丸穴と、垂直取付部が係合する長孔を設けたので、吹出グリル１０Ｂに強固な押し込みおよび引き出し方向への力が加わっても容易に外れることがなくなる。
【図面の簡単な説明】
【図１】本発明の実施の形態１の浴室用乾燥機の断面図
【図２】同浴室用乾燥機の正面図
【図３】同浴室用乾燥機の設置状態を示す断面図
【図４】本発明の実施の形態２の浴室用乾燥機の断面図
【図５】同浴室用乾燥機の正面図
【図６】本発明の実施の形態３の浴室用乾燥機の正面図
【図７】本発明の実施の形態４の浴室用乾燥機の断面図
【図８】本発明の実施の形態５の浴室用乾燥機の要部分解斜視図
【図９】同浴室用乾燥機のオリフィスの取り付け状態を示す断面図
【図１０】本発明の実施の形態６の浴室用乾燥機の構成を示す分解斜視図
【図１１】同浴室用乾燥機の断面図
【図１２】本発明の実施の形態７の浴室用乾燥機の斜視図
【図１３】本発明の実施の形態８の浴室用乾燥機の吹出グリルの斜視図
【図１４】同浴室用乾燥機の吹出グリルの取り付け時の状態を示す斜視図
【図１５】同浴室用乾燥機の吹出グリルの他の取り付け時の状態を示す斜視図
【図１６】従来の浴室用乾燥機の正面断面図
【図１７】同浴室用乾燥機の側面断面図
【符号の説明】
２Ａ        支持側板
２Ｂ        支持側板
３          本体
３Ｂ        本体
５          送風機
５Ａ        送風機
６Ａ        吸込グリル
６Ｂ        吸込グリル
６ａ        パンチングメタル
８Ａ        反射板
９          熱源
９Ａ        熱源
１０Ａ      吹出グリル
１０Ｂ      吹出グリル
１９        吸込口
２０        吹出口
２１        本体カバー
２３        軸流ファンモーター
２３Ａ      軸流ファンモーター
２３Ｂ      軸流ファンモーター
２３ａ      モーター
２４        ハロゲンヒーター
２５        湾曲凹部
２６        モーター取付部
２７        遮熱板
２８        垂直板
３０        軸流ファンモーター取付具
３１        保持部
３４        ねじ
３６        オリフィス
３８        支持脚
３９Ａ      リミットスイッチ
３９Ｂ      リミットスイッチ
４０        線材
４０ａ      横線
４０ｂ      縦線
４０ｃ      水平取付部
４０ｄ      垂直取付部
４０ｅ      垂直取付部
４１        丸孔
４２        長孔
【図１】
0003973807.tif 000002
【図２】
0003973807.tif 000003
【図３】
0003973807.tif 000004
【図４】
0003973807.tif 000005
【図５】
0003973807.tif 000006
【図６】
0003973807.tif 000007
【図７】
0003973807.tif 000008
【図８】
0003973807.tif 000009
【図９】
0003973807.tif 000010
【図１０】
0003973807.tif 000011
【図１１】
0003973807.tif 000012
【図１２】
0003973807.tif 000013
【図１３】
0003973807.tif 000014
【図１４】
0003973807.tif 000015
【図１５】
0003973807.tif 000016
【図１６】
0003973807.tif 000017
【図１７】
0003973807.tif 000018